(57)【要約】【課題】プラスチックボトルの口部内に容易に取り付け得ること、ストローをセットした状態のままでそのプラスチックボトルの蓋でその口部を閉じることが可能なこと。【解決手段】外周を下向きテーパ状に構成した取付用円筒体１と、その取付用円筒体１の内側最下部に一体に構成した中栓部２と、その中栓部２に開口したストロー７の吸い上げ側７ａを挿入するためのストロー穴３と、中栓部２に開口したそのストロー７の飲み口側７ｂを挿入する飲み口穴４とで構成する。取付用円筒体１はペットボトル５の口部６内にその内周との間に密に装入固定するための部材である。ストロー穴３は、上広がりのテーパ状で、その最下部の径をストロー７の吸い上げ側７ａを密着保持状態に挿入可能なサイズとする。飲み口穴４の径は、ストロー７の飲み口側７ｂを挿入した場合にその外周との間に隙間が生じる寸法とする。【選択図】  図１
2013121850.tif 000002
【特許請求の範囲】
【請求項１】
取付対象のプラスチックボトルの口部内にその内周との間に密に装入固定するための取付用円筒体であって、その外周を下方に向かって小径になる下向きテーパ状に構成した取付用円筒体と、
前記取付用円筒体の内側下部に構成した、その上下を仕切る中栓部と、
前記中栓部に開口した蛇腹付きストローの吸い上げ側を挿入するためのストロー穴であって、下方に向かって小径となるテーパ状であり、挿入したストローを最下部の最少径部で無用に回転しないように密着保持可能なストロー穴と、
前記中栓部に開口した該ストローの飲み口側を挿入する飲み口穴であって、該ストローの飲み口側を挿入した場合にその外周との間に隙間が生じる径の飲み口穴と、
で構成したストロー装着用アタッチメント。
【請求項２】
前記飲み口穴に、屈曲可能で、飲用終了後に前記ストローの飲み口側の部位を挿入することが可能で、加えて上端が取付対象のプラスチックボトルの口部上端を越える高さまで延びる長さの管体を密に挿入固定した請求項１のストロー装着用アタッチメント。
【請求項３】
前記中栓部の上面を前記飲み口穴に向かって下降傾斜する下降傾斜面に構成した請求項１のストロー装着用アタッチメント。
【発明の詳細な説明】
【技術分野】
【０００１】
本発明は、飲料収容用ペットボトル等のプラスチックボトルの口部乃至首部に取り付ける飲料吸い飲み用のストロー装着用アタッチメントであって、これに蛇腹付きのストローを挿入して該ボトル内の飲料の吸い飲みに使用することができるストロー装着用アタッチメントに関するものである。
【背景技術】
【０００２】
このようなストロー装着用アタッチメントに関連するいくつかの提案がある。
例えば、特許文献１は、屈曲可能なストローの収納が可能なキャップに関するもので、飲料水収容用のペットボトル本体の口部にその外周のねじを利用してねじ込み式で取り付けることが可能なキャップと、該キャップの内側に形成したねじの直上に配した中栓であって、ストローの本体部分及び飲み口部をそれぞれ挿入可能な二つの孔を開口した中栓と、ヒンジを介して該キャップの上部開口部を開閉自在に閉じることができるふたと、で構成したものである。
【０００３】
この特許文献１のキャップによれば、ペットボトル入りの飲料水を購入した場合に、これを該ペットボトルの口部に容易にセットし得、かつ市販の屈曲可能なストローを用いてその内部の飲料水を吸い飲みすることができる。飲用後は、該ストローを該キャップ内に収容した状態でその上部開口部を閉じることもできる。
【０００４】
すなわち、この特許文献１のキャップは、前記ペットボトルの口部からふたを取った上で、その口部に、その外周に形成してあるネジを利用して螺合装着することが可能であり、このように装着すると、その内部の中栓がペットボトルの口部上端に接した状態となり、その二つの孔の一方に、前記のように、市販のストローを挿入して内部の飲料の吸い飲みを行うことができることになる。一方、飲み終わった後は、そのストローの吸い上げ部側を中栓の一方の孔に挿入した状態のまま上部を屈曲してその飲み口側を該中栓の他方の孔に挿入した上で、該キャップのふたを該キャップの上部開口部に被せることで該ペットボトルの口部を閉じておくことが可能でもある。
【０００５】
しかしこの特許文献１のキャップは、中栓をキャップの内側に構成し、該キャップをペットボトルの口部に取り付ける構成であり、口部から若干高く突出する違和感のある構成となっていること、またキャップの上部開口は、ヒンジを介して取り付けたふたで閉じるものであるが、それが単にワンタッチ式で閉じるものであり、水密性に不安があるといわざるを得ない。すなわち、ペットボトルを倒した場合などに収容している飲料が外部に漏れる虞がある。またペットボトルに付属していた蓋は、使用しないので、ペットボトル自体の使用が終了する前に投棄せざるを得ず、厄介でもあり、無駄でもある。
【０００６】
特許文献２は、ストロー収納ワンタッチ式キャップに関するもので、内周にネジ部を備え、ペットボトルの口部に、その外周のネジ部と螺合させることで、ねじ込み式で装着可能に構成したキャップ本体と、該キャップ本体の内部上端近傍に構成した中栓であって、蛇腹付きストローの本体部分及び飲み口部付近をそれぞれ挿入可能な二つのストロー穴を開口した中栓と、該キャップ本体の上端の一部にヒンジを介して結合した上部開口部を閉じるワンタッチキャップ部と、で構成したものである。
【０００７】
この特許文献２のストロー収納ワンタッチ式キャップは、特許文献１のストローの収納が可能なキャップと殆ど同様の構成であり、異なるのは、中栓の位置が、特許文献１ではキャップの高さ方向中間部に位置させてあるのに対して、特許文献２では上部に設けてある点のみであり、それも実質的には大きな差とは云えない。それ故、この特許文献２のストロー収納ワンタッチ式キャップは、特許文献１のストローの収納が可能なキャップと同様に使用することが可能であり、同様の問題点を抱えていると云うことができる。
【０００８】
特許文献３は、ハイブリッドボトルに関するもので、飲料を収容するための断熱構造を有する容器本体と、この容器本体の容器口において容器本体内に通じる液通路を有する直飲み用の飲み口を備えた飲み口部と、前記液通路の上下方向の途中に配した仕切り板に開口した第１の穴であって、突出作用部を備えた専用ストローを出没及び着脱可能に受け入れ支持する第１の穴と、この第１の穴の両側に連なり、一方側では既製ストローの蛇腹部下の吸い上げ部を抜き差し可能に受け入れ支持し、他方側では前記蛇腹部を上に凸となるように屈曲させて下向きとなった吸い口を抜き差し可能に受け入れて格納状態に保持する第２、第３の穴と、前記仕切り板の、直列に並ぶ該第２、第１、第３の穴に直交する方向の両端に開口した二つの補助穴と、を備え、ストローを用いない直飲みと、専用ストローを使用した吸い飲みと、蛇腹付きの既製ストローを使用した吸い飲みとを選択使用できるようにし、更に前記飲み口部はこれを閉じる蓋を付設したものである。
【０００９】
従ってこのハイブリッドボトルによれば、飲み口部の飲み口からのストローを用いない直飲みと、中央の第１の穴に配してある専用ストローを使用した吸い飲みと、第１の穴の両側に配してある第２、第３の穴の一方に差し込んだ蛇腹付きの既製ストローを用いた吸い飲みのいずれでも自由に行うことが可能である。
【００１０】
しかしこのハイブリッドボトルは、全ての使用者にとって必要か否か不明である前記の多数の構成要素を複雑な位置関係で予め設置したボトルであり、使用者によっては、直飲み用の飲み口は不要であり、或いは、専用ストローによる又は既製ストローによる吸い飲みは不要であり、それぞれ不要な構成要素が煩わしい場合もある。また不要な要素のためにコストかさむ問題もある。従ってこの特許文献３のハイブリッドボトルは使い捨てにされるペットボトルのような飲料用プラスチックボトルに適用するのはコストの点でも不適当である。
【００１１】
またこの特許文献３のハイブリッドボトルでは、容器口の液通路の途中に仕切り板を配し、これに第１〜第３の穴を開口する構成となっているが、ペットボトル等においては当初よりその口部内の上下方向途中にこのような仕切り板を設け、これにストローを差し込むための穴や通気孔を開口しておき、ストローによる吸い飲みのみができるように構成することは極めて不適当であり、採用しがたいと思われる。現実的な実用性に欠けると思われる。
【先行技術文献】
【特許文献】
【００１２】
【特許文献１】登録実用新案第３０５７３３２号公報
【特許文献２】登録実用新案第３０５７０１０号公報
【特許文献３】特開２００４−１３１１２９号公報
【発明の概要】
【発明が解決しようとする課題】
【００１３】
本発明は、種々の飲料を収容するペットボトル等の使い捨てのプラスチックボトルの口部乃至首部に容易に取り付けることができる飲料吸い飲み用のストロー装着用アタッチメントであって、蛇腹を飲み口部直下に備えた既製のストローを無用に回転しない状態に挿入可能であり、その挿入状態で、当然、該ボトル内の飲料の吸い飲みが可能であり、かつ吸い飲み終了後には、該ストローをその挿入状態のまま、該ペットボトル付属の本来の蓋でその口部乃至首部を閉じることが可能であるストロー装着用アタッチメントを提供すること、更には、疾病等又はその他の何らかの理由により、飲用の際に身体を起こすことができない者が、身体を横たえた状態でも、該ペットボトルから飲料を零してしまうようなこと無く飲用することが可能であるストロー装着用アタッチメントを提供することを解決の課題とする。
【課題を解決するための手段】
【００１４】
本発明の１は、取付対象のプラスチックボトルの口部内にその内周との間に密に装入固定するための取付用円筒体であって、その外周を下方に向かって小径になる下向きテーパ状に構成した取付用円筒体と、
前記取付用円筒体の内側下部に構成した、その上下を仕切る中栓部と、
前記中栓部に開口した蛇腹付きストローの吸い上げ側を挿入するためのストロー穴であって、下方に向かって小径となるテーパ状であり、挿入したストローを最下部の最少径部で無用に回転しないように密着保持可能なストロー穴と、
前記中栓部に開口した該ストローの飲み口側を挿入する飲み口穴であって、該ストローの飲み口側を挿入した場合にその外周との間に隙間が生じる径の飲み口穴と、
で構成したストロー装着用アタッチメントである。
【００１５】
本発明の２は、本発明の１のストロー装着用アタッチメントにおいて、
前記飲み口穴に、屈曲可能で、飲用終了後に前記ストローの飲み口側の部位を挿入可能で、加えて上端が取付対象のプラスチックボトルの口部上端を越える高さまで延びる長さの管体を密に挿入固定したものである。
【００１６】
本発明の３は、本発明の１のストロー装着用アタッチメントにおいて、
前記中栓部の上面を前記飲み口穴に向かって下降傾斜する下降傾斜面に構成したものである。
【発明の効果】
【００１７】
本発明の１のストロー装着用アタッチメントによれば、これを飲料用のＰＥＴ等のプラスチックボトルの口部に密に装入した上で、そのストロー穴に蛇腹付きのストローの吸い上げ側を挿入し、該ストローを用いて該プラスチックボトル内の飲料の吸い飲みに有用に使用することができる。
【００１８】
また本発明の１のストロー装着用アタッチメントによれば、前記したように、これを飲料用のプラスチックボトルの口部に密に装入固定することができる。更にこの密な装入を容易かつ確実に行うことができる。すなわち、前記取付用円筒体は、最上部を対象となるプラスチックボトルの口部内径に対応する外径に構成し、かつその最上部から下方に向かって小径となるテーパ状外形に構成してあるため、これを手指で掴んで、該プラスチックボトルの口部に下端から装入し、該手指で、該取付用円筒体を、その上端とプラスチックボトルの口部上端とが一致するまで装入することができる。その後は、該プラスチックボトルに付属のその口部を閉じる蓋体を該口部に螺合外装することで、該取付用円筒体を必要な深さまで該口部に装入固定し、本発明の１のストロー装着用アタッチメントをプラスチックボトルの口部に装入固定することができる。
【００１９】
要するに、本発明の１のストロー装着用アタッチメントによれば、手指でその取付用円筒体をその上端がプラスチックボトルの口部の上端と一致するまで該プラスチックボトルの口部に押し込み装入し、その後は、単に、該口部に付属の蓋体をねじ込んで被せるという極めて簡単な操作で、該取付用円筒体を所定の深さまで該プラスチックボトルの口部内に装入固定し、該ストロー装着用アタッチメントの口部への装着を完了させることができるものである。
【００２０】
またこのように、本発明の１のストロー装着用アタッチメントは、その取付用円筒体が対象のプラスチックボトルの口部内に装入固定状態になるものであり、外部に突出する部分は全くない。更にその口部を閉じる蓋体も、前記のように、元々そのプラスチックボトルに付属のそれをそのまま使用するものであり、該口部が透明体であれば、その内部の取付用円筒体が若干透けて見えることがあり得るほかは、外観的に何らの変化が現れるものでもない。
【００２１】
前記のように、本発明の１のストロー装着用アタッチメントをプラスチックボトルの口部にセットした上で、その中栓部のストロー穴にストローの吸い上げ側を挿入することで、該プラスチックボトル内の飲料の該ストローによる吸い飲みを行うことができる。ストローのストロー穴への挿入は、該ストロー穴が上広がりのテーパ状に開口してあるため、容易に行うことが可能であり、他方、該ストロー穴の最下部は該ストローを密着状態に外装保持する径であるため、挿入したストローは該ストロー穴に固定状態に保持され無用に回転しない。そのため蛇腹部で飲み口側を所望の方向に傾けた場合に、その向きが無用に変化して向きを是正しなければならなくなるような厄介な操作の必要が生じない。また吸い飲み終了後は、該ストローの飲み口側を、蛇腹部で逆Ｕ字形に折返して、飲み口穴に挿入し、該プラスチックボトルの口部に該プラスチックボトル付属の本来の蓋体を螺合外装すれば、該ストローを該プラスチックボトル内に収納した状態で該プラスチックボトルを閉じることができる。
【００２２】
すなわち、該取付用円筒体の高さ方向の寸法を適切に設定しておくことにより、前記中栓部の上面と該取付用円筒体の内周とで区画された内部空間の広さが適切になり、以上のように折り返して飲み口側を飲み口穴に挿入することで、ストローの中栓部より上方の部分を該空間内に納めることが可能になる。それ故、ストローによる吸い飲みの後に、ストローを取り出す必要がない。該プラスチックボトルの飲用が終了するまでストローの保管に困るようなことはない。
【００２３】
また本発明の１のストロー装着用アタッチメントによれば、前記のように、蓋体として対象のプラスチックボトルに付属しているそれを使用するものであるため、前記のように、その口部を該蓋体で閉じてしまえば、これを倒しても内部の飲料が漏れるようなことは容易に生じない。
【００２４】
さらにまたプラスチックボトルの口部を以上のように付属の蓋体で閉じた場合に、また前記のように、このボトルを倒したりすると、下方の飲料の一部が飲み口穴等を通じてその上方に流動移動する可能性があるが、飲み口穴の径はストローの外径より大きく形成してあるので、該プラスチックボトルを立てれば、該飲み口穴を通じて容易に下方の容体側に戻ることとなり、蓋体を外した際に口部から零れてしまうなどの問題は生じない。
【００２５】
本発明の２のストロー装着用アタッチメントによれば、身体の具合の悪い飲用者等は、身体を横たえたままで飲用することが可能であり、例えば、このような場合に、予め、前記飲み口穴に密に挿入固定した管体の上部をプラスチックボトルの倒れる方向と逆方向に屈曲しておくことにより、飲用時にその内容物である飲料が零れるような問題を生じない。また飲用の終了後には、該管体にストローの飲み口側を挿入し、全体として逆Ｕ字形に屈曲状態とすれば、本発明の１のストロー装着用アタッチメントの場合と全く同様に、プラスチックボトルの口部内にストロー及び該管体を保管可能であり、その口部は、不都合無くその蓋体で閉塞することができる。
【００２６】
本発明の３のストロー装着用アタッチメントによれば、前記中栓部の上面を前記飲み口穴に向かって下降傾斜する下降傾斜面に構成したため、これを取り付けたプラスチックボトルを傾けたり、口部を蓋体で閉じた状態で横に倒したりした場合に中栓部の上方に移動した飲料は、該プラスチックボトルを立てれば、自ずと該飲み口穴側に集まり、これを通じて容易にその下方の容体側に流下させることができる。
【図面の簡単な説明】
【００２７】
【図１】(a)は実施例のストロー装着用アタッチメントの平面図、(b)は正面図、(c)は底面図、(d)は(a)のＡ−Ａ線断面図。
【図２】(a)は飲料用ペットボトルにセットした実施例のストロー装着用アタッチメントを利用して該ペットボトル中にストローの吸い上げ側を挿入し、更にその飲み口側も挿入した状態で、該ペットボトルの口部を蓋体で閉じた状態を示す断面図、(b)はその上部の拡大図。
【図３】(a)はペットボトルの口部に実施例のストロー装着用アタッチメントを装入しようとしている状態を示す断面説明図、(b)はアタッチメントをその上端が口部の上端と一致するまで装入した状態を示す断面説明図、(c)はアタッチメントをその上端が口部の上端と一致するまで装入した上で、該口部に蓋体を螺合しようとしている状態を示す断面説明図、(d)は口部に蓋体を最後まで螺合してアタッチメントを所定の位置まで深く押し込んだ状態を示す断面説明図。
【図４】(a)はペットボトルの口部にセットした実施例のストロー装着用アタッチメントのストロー穴を通じてストローの吸い上げ側を該ペットボトル中に挿入した状態を示す一部切欠断面説明図、(b)は更に飲み口側も飲み口穴に挿入して該口部に蓋体を螺合しようとしている状態を示す断面説明図。
【図５】(a)は実施例に対する第１の変形例のストロー装着用アタッチメントを示す断面図、(b)は、蛇腹付きストローをストロー穴に挿入した状態を示す第１の変形例のストロー装着用アタッチメントを示す断面図。
【図６】(a)は、実施例に対する第１の変形例のストロー装着用アタッチメントをペットボトルに装着し、ストロー穴にストローを挿入し、このストローの飲み口側を管体に挿入しようとしている状態を示すペットボトル上部の断面図、(b)は管体にストローの飲み口側を挿入し、これらを逆Ｕ字形に屈曲し、更に蓋体で閉じようとする状態を示しているペットボトル上部の断面図。
【図７】実施例に対する第２の変形例のストロー装着用アタッチメントを示す断面図。
【発明を実施するための形態】
【００２８】
発明を実施するための形態を実施例に基づき図面を参照しながら説明する。
【００２９】
この実施例のストロー装着用アタッチメントは、図１(a)〜(d)に示すように、基本的に、外周を下向きテーパ状に構成した取付用円筒体１と、該取付用円筒体１の内側最下部に構成した中栓部２と、該中栓部２に上下貫通状態に開口したストロー７の吸い上げ側７ａを挿入するためのストロー穴３と、同様に該中栓部２に上下貫通状態に開口した該ストロー７の飲み口側７ｂを挿入するための飲み口穴４とで構成したものである。
【００３０】
前記取付用円筒体１は、取付対象のプラスチックボトル、この実施例では、図２(a)、(b)〜図４(a)、(b)に示すように、ペットボトル５の口部６内にその内周との間に密に装入固定するための構成要素であり、前記のように、その外周は、下方に向かって小径になる下向きテーパ状に構成してある。この取付用円筒体１自体はプラスチックで構成したものである。なお、図中では、この取付用円筒体１の外周のテーパ形状は、視覚的に分かりやすくする趣旨で若干強調して描いてある。
【００３１】
取付対象のペットボトル５の口部６は標準化されており、容量の大小に拘わらず、該口部６の外周のねじ部６ａ及び内径等は全て同一であり、前記取付用円筒体１は、該口部６の内径に対応する外径に構成するものである。前記のように、該取付用円筒体１の外周は下方に向かって小径となるテーパ状に構成するものであり、それ故、該取付用円筒体１の外径は、最下部では、前記ペットボトル５の口部６の内径を僅かに下回り、上端では、口部６の内径と一致するように構成してある。
【００３２】
前記中栓部２は、図１(a)〜(d)に示すように、該取付用円筒体１の内側最下部にその底部状に構成した板状部材であり、該取付用円筒体１を、図２(a)、(b)、図３(d)及び図４(a)、(b)に示すように、ペットボトル５の口部６内にセットした場合に、該口部６を閉じる栓体のごとき状態となる構成要素である。この中栓部２は、プラスチックにより前記取付用円筒体１と共に一体に成形する。なお、前記のように、この実施例では、この中栓部２は、取付用円筒体１の最下部に構成してあるが、最下部に限定されるわけではない。
【００３３】
前記ストロー穴３は、図１(a)〜(d)に示すように、ストロー７の吸い上げ側７ａを挿入するための開口部であり、下方に向かって小径となるテーパ状開口部に構成してある。最下部の径をストロー７の外径とほぼ一致させ、該ストロー７をこのストロー穴３に挿入し、その上部を蛇腹部７ｃで屈曲させた場合に、ペットボトル５を傾ける等により重量バランスの変化が生じても該ストロー７に無用の回転が生じないようにする。飲み口がしばしば回転して位置を変えてしまい、これを元の位置に戻さざるを得なくなるというような厄介な操作を不要にする趣旨である。なお、下方に向かって小径となる（上方に向かって大径となる）テーパ形状は、このストロー穴３へのストロー７の挿入を容易にする趣旨である。このストロー穴３の配置は、特に限定されないが、中央から若干外周側に寄った位置が適当であり、この実施例ではそのように位置決めしている。
【００３４】
前記飲み口穴４は、吸い上げ側７ａをストロー穴３に挿入したストロー７の飲み口側７ｂを、途中の蛇腹部７ｃで逆Ｕ字形に折り返して挿入するための開口部であり、図１(a)〜(d)に示すように、この実施例では、前記中栓部２の中心点を対称点としてストロー穴３と点対称となる位置に開口したものである。この位置に限定されるわけではないが、この付近が適当である。この飲み口穴４の径は、該ストロー７の飲み口側７ｂをこれに挿入した場合にその外周との間に隙間が生じるサイズとする。対象のペットボトル５を倒した際などに該中栓部２上に該ペットボトル５内の飲料が流入した場合に、該ペットボトル５を立てれば、該飲料がその容体内に容易に戻りうるようにする趣旨である。
【００３５】
この実施例のストロー装着用アタッチメントは、以上のように構成したものであり、これを適用対象の飲料を収納したペットボトル５の口部６にセットした上で、そのストロー穴３にストロー７の吸い上げ側７ａを挿入すれば、該ストロー７を用いて該ペットボトル５内の飲料の吸い飲みに有用に使用することができる。またこのアタッチメントは、対象のペットボトル５の口部６へのセットも容易にかつ確実に行い得られる。
【００３６】
対象のペットボトル５の口部６へのこの実施例のストロー装着用アタッチメントのセットは以下のように行う。
図３(a)に示すように、蓋体８を取り外したペットボトル５の口部６の直上に、このアタッチメントを、その取付用円筒体１を下部の小径側を該口部６側に向けて配置し、そのまま、同図(b)に示すように、該口部６内に挿入する。これは、該取付用円筒体１の周側を掴んだ状態で該口部６にこれを挿入し、更にその上端側に手を当てて押し込むことによって行うことができる。該取付用円筒体１の外周は下細りのテーパ状に構成してあるので、そのようにスムーズに挿入できる。
【００３７】
この後は、図３(c)、(d)に示すように、このペットボトル５の口部６にもともと螺合外装してあった付属の蓋体８を再度該口部６にその外周のねじ部６ａに螺合させつつ外装する。このとき、該蓋体８の上部内面から円環状に垂下突出し、該口部６に該蓋体８を螺合外装する際に該口部６の上部内面に密着して水密性を確保するための突環部８ａの下端が、前記取付用円筒体１の上端に圧接し、該蓋体８の螺合操作に伴って該取付用円筒体１を押し下げることになる。図３(d)に示すように、該蓋体８をその上部内面が該口部６の上端に接するまで螺合すると、該蓋体８の螺合外装操作は終了であるが、該口部６に挿入してあるアタッチメントの押し下げ操作も完了である。こうして、上記のように、蓋体８の突環部８ａの下端で前記取付用円筒体１が押し下げられ、該口部６内に固定された状態になる。なお、図中８ｂは、蓋体８を該口部６から取り外した際に該蓋体８の下端から分離した環状の残存物である。
【００３８】
このようにこの実施例のストロー装着用アタッチメントは、対象のペットボトル５の口部６内にセット状態になり、この後は、該蓋体８を逆回転させて該口部から取り除けば、ストロー７を用いた吸い飲みが可能になる。
【００３９】
すなわち、この後は、図４(a)に示すように、アタッチメントの中栓部２に開口したストロー穴３にストロー７の吸い上げ側７ａを挿入し、このストロー７を用いて該ペットボトル５内の飲料の吸い飲みを行うことができる。
このとき、図４(a)に示すように、ストロー７を直線状にしてある場合は、該ストロー７が回転する可能性は低いが回転しても吸い飲みをするのに特に不都合は生じない。しかし、ストロー７を蛇腹部７ｃで若干屈曲して飲み口側７ｂを飲用者側に傾けて吸い飲みを行う場合は、ペットボトル５が僅かに傾く等により、ストロー７の重量バランスに変化が生じると、ストロー穴３が該ストロー７の外面に密着してこれを保持している状態でない場合には、該ストロー７が回転し、飲み口側７ｂが向きを変えてしまい、それを元の位置に戻さないと飲めなくなりその操作が厄介になる。しかし、この実施例のストロー穴３は、その最下部でストロー７をしっかりと抱持しているため、該ストロー７は、容易に回転することがなく、常時、飲み口側７ｂの向きを一定に保持し、飲みやすい状態を維持することができる。
【００４０】
ペットボトル５内の飲料の吸い飲みの後は、図４(b)に示すように、該ストロー７の飲み口側７ｂを、その途中の蛇腹部７ｃで逆Ｕ字形に折返して、中栓部２に開口した飲み口穴４に挿入し、該ペットボトル５の口部６に前記付属の蓋体８を螺合外装すれば、図２(a)、(b)に示すように、ストロー７を該ペットボトル５の口部６内に保管した状態で該ペットボトル５を閉じることができる。ストロー７の保管が容易に行われうるものである。
【００４１】
さらにまた前記ペットボトル５の口部６を付属の蓋体８で閉じた後に、このペットボトル５を倒したりすると、特に飲み口穴４からその上方に飲料の一部が移動する可能性があるが、飲み口穴４の径をストロー７の外径より大きく形成してあるので、該ペットボトル５を立てれば、該飲料の一部は該飲み口穴４を通じて容易に下方の容体内に戻ることとなり、蓋体８を取り外した後に、何らかの事情で該口部６から零れてしまうなどの問題は生じない。また、前記のように、付属の蓋体８で口部６を閉じた後に、該ペットボトル５を倒した際に、その内部の飲料が口部６側に移動することはあり得るが、それが更に口部６から外部に漏れるようなことはない。これは、該口部６を閉じる蓋体８として該ペットボトル５に元来付属していたそれを用いて閉じるものであるからである。
【００４２】
その他、この実施例のストロー装着用アタッチメントでは、その取付用円筒体１はペットボトル５の口部６内に装入固定状態となり、該口部６の外部に突出する構成要素が存在していない。それ故、前記のように、該口部６は該ペットボトル５に元来付属していた蓋体８で閉じることが可能であり、従って、該ペットボトル５は、それ自体が透明であるため、その口部６内に該取付用円筒体１が存在していることが見えるだけであり、該取付用円筒体１を装入固定する前後で、それ以外には、外観的に異なるところはない。
【００４３】
なお、図５及び図６は、実施例のストロー装着用アタッチメントの第１の変形例を示すものである。これは、実施例のストロー装着用アタッチメントの中栓部２に開口してある飲み口穴４に蛇腹９ａ付きの管体９の下部を密に挿入固定したものであり、その他の点は全て先に説明した実施例と同一である。
【００４４】
すなわち、この第１の変形例は、同図に示すように、前記中栓部２の前記飲み口穴４に前記管体９の下部を密に挿入し固定したものである。この管体９は、前記し、同図に示すように、長さ方向途中の大部分に屈曲用の蛇腹部９ａを構成したものであり、該蛇腹部９ａの下方には該蛇腹部９ａの下端に向かって小径になる上細りのテーパ部９ｂを構成してあるものである。
【００４５】
この管体９の内径は、前記蛇腹付きストロー７の外径を僅かに上回る寸法のものであり、その上端は、該ストロー７を挿入し易くする趣旨で、上広がりのテーパ状としてある。この管体９を前記中栓部２の下方から前記飲み口穴４に挿入する。この挿入は、管体９の上端側から行う。既述のように、蛇腹部９ａの下方に蛇腹部９ａ側に向かって小径になるる上細りのテーパ部９ｂを構成してあるので、このように下方から上端を先頭として飲み口穴４に挿入すると、図５(a)に示すように、該管体９は、前記テーパ部９ｂの途中で該飲み口穴４に外周が密着し、固定状態となる。
【００４６】
この状態で、該管体９は、その上端が若干取付用円筒体１の上端を越えた位置にあり、図６(a)に示すように、この取付用円筒体１をペットボトル５の口部６に挿入固定した状態で、その口部６の上端を僅かに越えた位置にあるようにしたものである。
【００４７】
従ってペットボトル５内の飲料を飲用する場合は、図５(b)に示すように、ストロー穴３にストロー７の吸い上げ側７ａを挿入し、その上端は直線状又は飲用者側（図５(b)中では左側）に曲げて飲用する。このように飲用するに際して、前記管体９は、図５(b)に示すように、予め、その上部を蛇腹部９ａを利用して飲用者側と反対側に屈曲しておく。
【００４８】
このように前記管体９を屈曲しておくことにより、飲用者が、疾病その他の都合により横たわったままで飲用動作を行う場合であっても、ペットボトル５中の飲料を外部にこぼすようなおそれはない。前記のように、ストロー７の吸い上げ側７ａは、ストロー穴３への挿入状態でその外周が密着状態となっており、同様に、前記管体９はそのテーパ部９ｂが前記飲み口穴４に密着状態で挿入固定状態であり、かつ該管体９の上部は、前記のように、飲用者側と反対側に屈曲させることが可能であり、そうしてあるからである。
【００４９】
また飲用終了後は、ストロー７は、これを若干引き上げて、図６(a)に示すように、逆Ｕ字形に屈曲し、更に先だって直線状に戻した管体９にその上端から挿入し、図６(b)に示すように、該管体９も含めて，全体として逆Ｕ字形になるように屈曲する。そうした上で、蓋体８で、前記したように、口部６を閉じることができる。
【００５０】
なお、図７は、実施例のストロー装着用アタッチメントの第２の変形例を示している。
これは、実施例のストロー装着用アタッチメントの中栓部２の上面に変更を加えたものであり、その他の点は全て同一である。すなわち、この第２の変形例は、同図に示すように、前記中栓部２の上面を前記飲み口穴４に向かって下降傾斜する下降傾斜面２ａに構成したものである。従って、これを、前記実施例で説明したように、対象のペットボトル５の口部６の内側にセットし、その中栓部２のストロー穴３にストロー７の吸い上げ側７ａを挿入し、蛇腹部７ｃで折り返してその飲み口側７ｂを飲み口穴４に挿入し、かつその口部６を蓋体８で閉じた上で、このペットボトル５を傾けたり、横に倒したりした場合には、前記したように、ストロー７の吸い上げ側７ａの外周がストロー穴３に密着していたとしても該ストロー７を挿入したストロー穴３を通じて少しずつ、また飲み口穴４を通じて、それぞれ飲料が該中栓部２の上面側に移動することがあり得るが、そのような飲料は、該ペットボトル５を立てれば、前記下降傾斜面２ａを通じて自ずと該飲み口穴４側に集まり、該飲み口穴４を通じて容易にその下方のペットボトル５の容体側に流下させることができる。
【産業上の利用可能性】
【００５１】
本発明のストロー装着用アタッチメントは各種プラスチック飲料容器の製造分野若しくはその付属品の製造の分野で利用できる。
【符号の説明】
【００５２】
１    取付用円筒体
２    中栓部
２ａ  下降傾斜面
３    ストロー穴
４    飲み口穴
５    ペットボトル
６    口部
６ａ  口部外周のねじ部
７    ストロー
７ａ  吸い上げ側
７ｂ  飲み口側
７ｃ  蛇腹部
８    蓋体
８ａ  突環部
８ｂ  環状の残存物
９    管体
９ａ  蛇腹部
９ｂ  テーパ部
【図１】
2013121850.tif 000003
【図２】
2013121850.tif 000004
【図３】
2013121850.tif 000005
【図４】
2013121850.tif 000006
【図５】
2013121850.tif 000007
【図６】
2013121850.tif 000008
【図７】
2013121850.tif 000009